(57)【要約】      （修正有）【課題】構造強度が良好で、操作に便利、耐久性があり、低コストで急速生産できる電気コネクタの接続位置決め装置の提供。【解決手段】電気コネクタの接続位置決め装置は、その絶縁本体の前段に挿入部が設けられ、内部に複数の端子が位置決めされ、対応する電気コネクタに挿入、接続され、上述の絶縁本体の左右側に外向きに円弧状の弾性アームが接続され、この弾性アームの前後端に一体に絶縁本体が接続され、その他の位置が懸空部分を形成し、左右の弾性アームの前段の懸空部分に外向きに係止ブロックが設置され、上述の対応する電気コネクタに弾性位置決めされ、左右の弾性アーム後段を押圧する時、順調に電気コネクタ及びその係止ブロックを退出させられる。【選択図】図１
0003106809.tif 000002
【実用新案登録請求の範囲】
【請求項１】
電気コネクタの接続位置決め装置において、該電気コネクタの絶縁本体の前段に挿入部が設けられ、絶縁本体の内部に複数の端子が位置決めされ、該電気コネクタが対応する電気コネクタに挿入、接続され、上述の絶縁本体の左右側に外向きに円弧状の弾性アームが接続され、この弾性アームの前端と後端が一体に絶縁本体に接続され、弾性アームのその他の位置が懸空部分を形成し、左右の弾性アームの前段の懸空部分に外向きに係止ブロックが設置され、上述の対応する電気コネクタに弾性位置決めされることを特徴とする、電気コネクタの接続位置決め装置。
【請求項２】
請求項１記載の電気コネクタの接続位置決め装置において、左右の弾性アームの前端に挿入ブロックが形成され、該挿入ブロックが一体に絶縁本体の挿入部の対応側に接続されたことを特徴とする、電気コネクタの接続位置決め装置。
【請求項３】
請求項１記載の電気コネクタの接続位置決め装置において、左右の弾性アームの後端が一体に絶縁本体の後端に接続されたことを特徴とする、電気コネクタの接続位置決め装置。
【請求項４】
請求項１記載の電気コネクタの接続位置決め装置において、左右の弾性アームの係止ブロックの後方に上下の肩部が形成されたことを特徴とする、電気コネクタの接続位置決め装置。
【請求項５】
請求項１記載の電気コネクタの接続位置決め装置において、左右の弾性アームの後段に凸條状の押圧部が設けられたことを特徴とする、電気コネクタの接続位置決め装置。
【請求項６】
請求項１記載の電気コネクタの接続位置決め装置において、左右の弾性アームの係止ブロックが前外側斜辺とそれに接続された後ろストッパ辺を具えたことを特徴とする、電気コネクタの接続位置決め装置。
【考案の詳細な説明】
【技術分野】
【０００１】
本考案は一種の電気コネクタの接続位置決め装置に係り、特にノートブック型コンピュータ等の液晶ディスプレイに適用される電気コネクタの接続位置決め装置に関する。
【背景技術】
【０００２】
現在、ノートブック型コンピュータ及びその液晶ディスプレイは薄型化に向けて発展し、このため確実に接続可能な薄型電気コネクタの使用が必要である。
【０００３】
上述の電気コネクタは、基本的に絶縁本体の前段に挿入部が設けられ、内部に複数の端子が位置決めされ、対応電気コネクタ内に挿入され接続され、両者の端子が相互に嵌挿され接触し、電気的接続作用を達成する。
【０００４】
電気コネクタの接続時の安定性を考慮すると、絶縁本体に金属係止手段或いはプラスチック係止アームを設けて対応する電気コネクタ内に係止、位置決めする必要がある。但し金属係止手段の製造組立は面倒で製造コストが高い。プラスチック係止アームは単辺連体の自由斜めアーム構造を採用しており、位置決め強度が低く、容易に損壊し、耐久性がない。
【考案の開示】
【考案が解決しようとする課題】
【０００５】
本考案の主要な目的は、一種の電気コネクタの接続位置決め装置を提供することにあり、それは左右の円弧状の弾性アームの前後端が一体に絶縁本体に接続され、その他の懸空部分に外向きに係止ブロックが設置され、確実に対応する電気コネクタに位置決めされ、並びに構造強度が良好で、操作に便利で、耐久性があり、低コストで急速生産できるものとする。
【０００６】
本考案の電気コネクタは絶縁本体の前段に挿入部が設けられ、絶縁本体の内部に複数の端子が位置決めされ、対応する電気コネクタに挿入、接続され、上述の絶縁本体の左右側に外向きに円弧状の弾性アームが接続され、この弾性アームの前後端に一体に絶縁本体が接続され、その他の位置が懸空部分を形成し、左右の弾性アームの前段の懸空部分に外向きに係止ブロックが設置され、上述の対応する電気コネクタに弾性位置決めされる。
【０００７】
可能な実施例においては、左右の弾性アームの前端に挿入ブロックが設けられ、一体に絶縁本体の挿入部の対応側に接続され、左右の弾性アームの係止ブロックの後方に上下の肩部が設置されている。
【課題を解決するための手段】
【０００８】
請求項１の考案は、電気コネクタの接続位置決め装置において、該電気コネクタの絶縁本体の前段に挿入部が設けられ、絶縁本体の内部に複数の端子が位置決めされ、該電気コネクタが対応する電気コネクタに挿入、接続され、上述の絶縁本体の左右側に外向きに円弧状の弾性アームが接続され、この弾性アームの前端と後端が一体に絶縁本体に接続され、弾性アームのその他の位置が懸空部分を形成し、左右の弾性アームの前段の懸空部分に外向きに係止ブロックが設置され、上述の対応する電気コネクタに弾性位置決めされることを特徴とする、電気コネクタの接続位置決め装置としている。
請求項２の考案は、請求項１記載の電気コネクタの接続位置決め装置において、左右の弾性アームの前端に挿入ブロックが形成され、該挿入ブロックが一体に絶縁本体の挿入部の対応側に接続されたことを特徴とする、電気コネクタの接続位置決め装置としている。
請求項３の考案は、請求項１記載の電気コネクタの接続位置決め装置において、左右の弾性アームの後端が一体に絶縁本体の後端に接続されたことを特徴とする、電気コネクタの接続位置決め装置としている。
請求項４の考案は、請求項１記載の電気コネクタの接続位置決め装置において、左右の弾性アームの係止ブロックの後方に上下の肩部が形成されたことを特徴とする、電気コネクタの接続位置決め装置としている。
請求項５の考案は、請求項１記載の電気コネクタの接続位置決め装置において、左右の弾性アームの後段に凸條状の押圧部が設けられたことを特徴とする、電気コネクタの接続位置決め装置としている。
請求項６の考案は、請求項１記載の電気コネクタの接続位置決め装置において、左右の弾性アームの係止ブロックが前外側斜辺とそれに接続された後ろストッパ辺を具えたことを特徴とする、電気コネクタの接続位置決め装置としている。
【考案の効果】
【０００９】
本考案の電気コネクタの接続位置決め装置は、左右の円弧状の弾性アームの前後端が一体に絶縁本体に接続され、その他の懸空部分に外向きに係止ブロックが設置され、確実に対応する電気コネクタに位置決めされ、並びに構造強度が良好で、操作に便利で、耐久性があり、低コストで急速生産できる。
【考案を実施するための最良の形態】
【００１０】
図１、２に示されるように、本考案の電気コネクタ１０はプラスチック材質の絶縁本体１１を具え、絶縁本体１１の前段に左右の挿入部１２が設けられ、その内部に複数の縦向きの挿入孔１３があり、それぞれクランプ型端子３０を収容、位置決めしている。これら端子３０は前端の接続部３２を具え、後段に少なくとも二対の挟持部３３を具え、導線３１及びその内部の裸線を挟持する。
【００１１】
上述の電気コネクタ１０は絶縁本体１１の左右側に外向きに円弧状に湾曲するプラスチック材質の弾性アーム２０、２１を具え、左右の弾性アーム２０、２１の前端と後端が一体に絶縁本体１１に接続され、その他の位置は外向きに突出する懸空部分とされ、該懸空部分の前段部分に外向きに係止ブロック２２が設置されて弾性位置決め構造を形成している。
【００１２】
可能な実施例において、左右の弾性アーム２０、２１の前端に挿入ブロック２５が設けられ、並びに一体に絶縁本体１１の挿入部１２の対応側に接続されている。また、左右の弾性アーム２０、２１の後端は一体に絶縁本体１１の後端に接続されている。このほか、左右の弾性アーム２０、２１の係止ブロック２２の後方に上下の肩部２４が設けられ、絶縁本体１１の挿入部１２の末端位置に組み合わされている。左右の弾性アーム２０、２１の後段に凸條状の押圧部２３が設置されて内向きに押圧して左右の係止ブロック２２を内に偏移させるのに便利とされている。
【００１３】
円弧状の弾性アーム２０、２１の前端と後端は一体に絶縁本体１１に接続され、これによりその懸空部分と係止ブロック２２が弾性変形偏移能力を具え、並びに構造強度と弾性がいずれも理想的とされ、耐久性を有するものとされる。係止ブロック２２は前外側斜辺２６とそれに接続された後ろストッパ辺２７を具え、挿入、位置決めに便利とされる。
【００１４】
図３、４に示されるように、電気コネクタ１０の挿入部１２及びその弾性アーム２０、２１が前向きに対応する電気コネクタ４０に挿入される時、左右の弾性アーム２０、２１の前段及びその係止ブロック２２は圧迫されて内向きに偏移し、その後、二つの弾性アーム２０、２１が外向きに弾性回復し、係止ブロック２２が確実に対応する電気コネクタ４０の対応する係止部４２と係合され、並びに端子３０、４１が電気的接続を達成する。
【００１５】
電気コネクタ１０を抜き取りたい時は、図５に示されるように左右の弾性アーム２０、２１の後段を内向きに押圧して前段の係止ブロック２２を内向きに偏移させて係止部４２より離脱させれば、迅速に全体の電気コネクタ１０を抜き取ることができる。
【００１６】
図６、７に示される絶縁本体１１２、１１３はいずれも左右側の弾性アーム２０２、２０３及びその係止ブロックを具えてえいるが、その左右の挿入部１２２、１２３は異なる間隔距離に設けられている。
【００１７】
図８に示される絶縁本体１１４には左、中、右の挿入部１２４が設けられ、並びにその左右側の弾性アーム２０４前端が直接一体に左右の挿入部１２４の対応側前方に接続されている。図９に示される実施例では、絶縁本体１１５の前段に全段挿入部１２５が形成され、並びに配列端子用挿入孔１３５が設けられ、絶縁本体１１５が左右の弾性アーム２０５を具えている。図１０に示される絶縁本体１１６には前段の挿入部１２６が設けられ、並びに上下列の端子用挿入孔１３６が設けられ、絶縁本体１１６も左右の弾性アーム２０６を具えている。
【００１８】
以上の電気コネクタは左右の円弧状の弾性アームの前端と後端が一体に絶縁本体に接続され、その他の懸空部分に外向きに係止ブロックが設置された構造設計により、確実に対応する電気コネクタに位置決めされ、並びに構造強度が良好で、操作に便利で、耐久性があり、低製造コストで急速生産できる。
【００１９】
以上の実施例は本考案の請求範囲を限定するものではなく、本考案に基づきなしうる細部の修飾或いは改変は、いずれも本考案の請求範囲に属するものとする。
【図面の簡単な説明】
【００２０】
【図１】本考案の第１実施例の電気コネクタの立体図である。
【図２】図１の断面図でありクランプ型端子が組付けられている。
【図３】図２の初期接続表示図である。
【図４】図３の接続位置決め状態表示図である。
【図５】図４の退出実行状態表示図である。
【図６】本考案の第２実施例の電気コネクタの立体図である。
【図７】本考案の第３実施例の電気コネクタの立体図である。
【図８】本考案の第４実施例の電気コネクタの立体図である。
【図９】本考案の第５実施例の電気コネクタの立体図である。
【図１０】本考案の第６実施例の電気コネクタの立体図である。
【符号の説明】
【００２１】
１０  電気コネクタ            １１  絶縁本体                １２  挿入部
１３  挿入孔
２０  弾性アーム              ２１  弾性アーム              ２２  係止ブロック
２３  押圧部                  ２４  肩部                    ２５  挿入ブロック
２６  斜辺                    ２７  後ろストッパ辺
３０  端子                    ３１  導線                    ３２  接続部
３３  挟持部
４０  対応する電気コネクタ    ４１  端子                    ４２  係止部
１１２〜１１６  絶縁本体
１２２〜１２６  挿入部
１３５、１３６  挿入孔
２０２〜２０６  弾性アーム
【図１】
0003106809.tif 000003
【図２】
0003106809.tif 000004
【図３】
0003106809.tif 000005
【図４】
0003106809.tif 000006
【図５】
0003106809.tif 000007
【図６】
0003106809.tif 000008
【図７】
0003106809.tif 000009
【図８】
0003106809.tif 000010
【図９】
0003106809.tif 000011
【図１０】
0003106809.tif 000012